(57)【要約】【課題】再生時において、部屋の明るさによらずＯＳＤ表示等の再生情報の表示を視認可能に表示でき、且つこれらの表示を映像の鑑賞の妨げとなり難いように表示できる映像再生装置を提供する。【解決手段】映像再生装置１は、所定の情報をＯＳＤ表示させるＯＳＤ表示手段８と、装置が配置される部屋の明るさを検出する光センサ１４と、再生時に光センサ１４からの情報に基づいてＯＳＤ表示手段８によってＯＳＤ表示される情報の明るさを制御する制御部２と、を備える【選択図】図１
2009026413.tif 000002
【特許請求の範囲】
【請求項１】
映像情報を再生する映像再生装置であって、
所定の情報をＯＳＤ表示させるＯＳＤ表示手段と、
装置が配置される部屋の明るさを検出する光センサと、
再生時に前記光センサからの情報に基づいて前記ＯＳＤ表示手段によってＯＳＤ表示される情報の明るさを制御する制御部と、
を備えることを特徴とする映像再生装置。
【請求項２】
所定の情報を表示する表示部を更に備え、
前記制御部は、再生時に前記光センサからの情報に基づいて前記表示部で表示される情報の明るさも制御することを特徴とする請求項１に記載の映像再生装置。
【請求項３】
命令を入力するための操作部及びリモートコントローラからの送信を受信する受信部のうちの少なくとも一方を備え、
再生時に前記操作部或いは前記リモートコントローラからの命令を受けた場合に、前記表示部で表示される情報の明るさを所定の時間だけ現在の設定から変更する場合があることを特徴とする請求項２に記載の映像再生装置
【請求項４】
前記光センサは、前記表示部から離れた位置に配置されることを特徴とする請求項２又は３に記載の映像再生装置。
【請求項５】
前記光センサは、装置の前面部分に設けられることを特徴とする請求項１から４のいずれかに記載の映像再生装置。
【請求項６】
前記制御部は、更に前記光センサからの情報に基づいて再生する映像の明るさも制御することを特徴とする請求項１から５のいずれかに記載の映像再生装置。
【発明の詳細な説明】
【技術分野】
【０００１】
本発明は、光ディスクやビデオテープ等の記録媒体に記録される映像情報を再生する映像再生装置に関する。
【背景技術】
【０００２】
従来から、ビデオテープに記録される映像情報を再生するビデオデッキが一般家庭に普及している。また近年においては、光ディスク（例えば、ＤＶＤやＢＤ）に記録される映像情報を再生するＤＶＤプレーヤやＢＤプレーヤ等が一般家庭に普及してきている。これらの映像情報を再生する映像再生装置には、通常、その前面に現在時刻のほか光ディスクやビデオテープ等の再生位置を示すカウンタ目盛りや動作モードを示す所定のマーク等が表示される表示部が設けられる。このような表示部は、例えば蛍光表示管（ＦＬ管）によって情報を表示する。
【０００３】
ところで、映像再生装置を用いて映像を再生する場合には、家庭内で映画館の雰囲気を味わうために部屋を暗くする場合がある。この場合、蛍光表示管等による情報の表示が眩しく、映像の鑑賞の妨げとなる場合がある。
【０００４】
このために、従来においては、例えば特許文献１に示されるように、映像情報の再生時において、照度センサによって検出された照度に基づいて表示部のオンオフ状態を切り替える映像再生装置が提案されている。これによれば、室内の照明の照度を落とした状況における映画等の鑑賞時には映像再生装置の表示部を自動的にオフできるために、表示部からの光によって映像の鑑賞が妨げられるのを回避できる。
【０００５】
また、特許文献２には、操作部の再生キーまたはリモコン送信部の再生キーのいずれかの操作があると判別すれば、モニタ画面に再生画像が表示される再生モードの間、表示部のＦＬ管を減光すべく制御し、再生モードに連動した表示部の減光制御を実行する調光部を備える調光装置が提案されている。この装置を映像再生装置が備える場合、家庭内で映画館の雰囲気を味わうために部屋を暗くする場合でも、表示部からの光によって映像の鑑賞が妨げられることを防止できる。
【特許文献１】特開２００３−１４１８７１号公報
【特許文献２】特開２０００−２８５５７８号公報
【発明の開示】
【発明が解決しようとする課題】
【０００６】
しかしながら、特許文献１の構成の場合、映像情報を再生する場合あって、照度が所定値以下の場合には、表示部がオフ状態となるために、表示部の情報（例えば、現在時刻や再生位置を示すカウンタ等）を確認したい場合に、すぐに確認できないために不便である。
【０００７】
この点、表示部をオフするのではなく特許文献２のように、ＦＬ管を減光する構成とすれば、表示部の情報の確認も可能となる。しかし、映像情報を再生する室内の状況は、部屋を暗くする場合のみならず、明るい状態の場合もある。そして、部屋が非常に明るい場合には、むしろ通常の使用状態より明るくしないと表示部の情報を十分確認できないような場合もある。この点、特許文献１及び２の構成では、部屋が明るい場合には自動的に対応できず不便である。
【０００８】
また、ユーザは、その好みや必要性から、映画のタイトルであるとか、光ディスクやビデオの再生位置を示すカウンタ、映像再生装置の動作状態を示す所定のマーク等をＯＳＤ（オンスクリーンディスプレイ）表示させながら映像情報を再生する場合がある。この場合、部屋が暗い場合には、ＯＳＤ表示が眩しくて再生される映像の鑑賞の妨げとなる場合がある。一方、部屋が明るい場合には、ＯＳＤ表示が見え難く、表示している意味がなくなる場合がある。
【０００９】
以上の点を鑑みて、本発明の目的は、再生時において、部屋の明るさによらずＯＳＤ表示等の再生情報の表示を視認可能に表示でき、且つこれらの表示を映像の鑑賞の妨げとなり難いように表示できる映像再生装置を提供することである。
【課題を解決するための手段】
【００１０】
上記目的を達成するために本発明は、映像情報を再生する映像再生装置であって、所定の情報をＯＳＤ表示させるＯＳＤ表示手段と、装置が配置される部屋の明るさを検出する光センサと、再生時に前記光センサからの情報に基づいて前記ＯＳＤ表示手段によってＯＳＤ表示される情報の明るさを制御する制御部と、を備えることを特徴としている。
【００１１】
この構成によれば、再生時において、部屋の明るさに応じてＯＳＤ表示される情報の明るさを制御できる構成であるために、部屋の明るさによらずＯＳＤ表示される情報を視認でき、且つ、ＯＳＤ表示が映像の鑑賞の妨げになり難いようにできる。
【００１２】
また、本発明は、上記構成の映像再生装置において、所定の情報を表示する表示部を更に備え、前記制御部は、再生時に前記光センサからの情報に基づいて前記表示部で表示される情報の明るさも制御するようにしても構わない。
【００１３】
この構成によれば、再生時において、表示部で表示される情報の明るさを部屋の明るさに応じて制御できるようになっているために、ＯＳＤ表示に加えて表示部で表示される情報についても、再生時において、部屋の明るさによらず視認でき、且つ映像の鑑賞の妨げとなり難いようにできる。
【００１４】
また、本発明は、上記構成の映像再生装置において、命令を入力するための操作部及びリモートコントローラからの送信を受信する受信部のうちの少なくとも一方を備え、再生時に前記操作部或いは前記リモートコントローラからの命令を受けた場合に、前記表示部で表示される情報の明るさを所定の時間だけ現在の設定から変更する場合があるようにしても良い。
【００１５】
この構成によれば、部屋が暗いために、映像の鑑賞を妨げないように表示部で表示される情報の明るさを暗く設定しているような場合でも、ユーザの必要性を考慮して表示部の表示を明るくする構成であるために、表示部で表示される情報の確認が行い易い。
【００１６】
また、本発明は、上記構成の映像再生装置において、前記光センサは、前記表示部から離れた位置に配置されるのが好ましい。この構成によれば、表示部からの光が光センサに漏れ込むことがなく、ＯＳＤ表示の明るさや表示部の表示の明るさに関してより正確な制御が行える。
【００１７】
また、本発明は、上記構成の映像再生装置において、前記光センサは、装置の前面部分に設けられることとしても構わない。この構成によれば、光センサの周りに、光センサへ光が入射することを妨げる障害物が配置される可能性が低く、光センサで検出される部屋の明るさが不正確なものとなる可能性を低減できる。
【００１８】
また、本発明は、上記構成の映像再生装置において、前記制御部は、更に前記光センサからの情報に基づいて再生する映像の明るさも制御するようにしても良い。
【発明の効果】
【００１９】
本発明によれば、再生時において、部屋の明るさによらずＯＳＤ表示等の再生情報の表示を視認可能に表示でき、且つこれらの表示を映像の鑑賞の妨げとなり難いように表示できる映像再生装置を提供できる。
【発明を実施するための最良の形態】
【００２０】
以下、本発明の映像再生装置について実施形態を示して、図面を参照しながら詳細に説明する。
【００２１】
まず、本実施形態の映像再生装置の構成について、図１及び図２を参照しながら説明する。図１は、本実施形態の映像再生装置の構成を示すブロック図である。また、図２は、本実施形態の映像再生装置の前面部分の構成を示す概略平面図である。なお、本実施形態の映像再生装置は、光ディスクに記録される映像情報を再生する装置である。
【００２２】
本実施形態の映像再生装置１は、制御部２と、光ピックアップ３と、ＲＦアンプ４と、サーボ回路５と、情報検出回路６と、デコーダ７と、ＯＳＤ（オンスクリーンディスプレイ）回路８と、操作部１０と、リモコン受信部１１と、表示部１２と、記憶部１３と、照度センサ１４と、を備える。映像再生装置１によって光ディスク２０から読み出された情報はディスプレイ９に送信され、これによりユーザは映像を視聴することが可能となる。
【００２３】
制御部２は、例えばマイクロコンピュータで構成されており、映像再生装置１を構成する各部の制御を行う。また、制御部２は、後述するように、再生時において、照度センサ１４からの情報に基づいてＯＳＤ表示される情報の明るさや表示部１２で表示される情報の明るさを制御して、それらの明るさを自動調整可能とする。
【００２４】
光ピックアップ３は、光ディスク２０に光ビームを照射して情報の読み取りを可能とする。光ピックアップ３は、半導体レーザから成る光源２１と、光源２１から出射されたレーザ光を光ディスク２０の記録層（図示せず）に集光する対物レンズ２２と、光ディスク２０からの反射光を受光する光検出器２４と、を備える。
【００２５】
なお、光源２１から出射されるレーザ光の波長は、映像再生装置１が対応する光ディスク２０に種類によって適宜選択される。例えば、ＤＶＤに対応する場合には光源２１から６５０ｎｍ帯のレーザ光が出射され、ＢＤに対応する場合には光源２１から４０５ｎｍ帯のレーザ光が出射される。なお、光源から出射可能なレーザ光の種類を複数として、複数の光ディスク２０に互換する構成としても勿論構わない。
【００２６】
また、対物レンズ２２は対物レンズアクチュエータ２３によって、光軸方向を平行なフォーカス方向及び光ディスクの半径方向と平行なトラッキング方向に移動可能となっている。これにより、フォーカスサーボやトラッキングサーボといったサーボ制御が可能となっている。
【００２７】
ＲＦアンプ４は、光検出器２４から出力される信号を処理して、ＲＦ信号、フォーカスエラー信号（ＦＥ信号）、トラッキングエラー信号（ＴＥ信号）等を生成する。
【００２８】
サーボ回路５は、ＲＦアンプ４で生成されたＦＥ信号、ＴＥ信号を処理して、対物レンズアクチュエータ２３の駆動を制御する制御信号を生成する。また、サーボ回路５は、光ピックアップ３が備えるスライドベース（図示せず）を駆動するスライドモータ（図示せず）のサーボを行うための制御信号も生成する。これら生成された制御信号は、光ピックアップ３に出力され、各動作の制御が行われる。
【００２９】
情報検出回路６は、ＲＦアンプ４から供給されるＲＦ信号について波形等化等の処理を行い、光ディスク２０に記録されている映像データと音声データの取り出しを行う。
【００３０】
デコーダ７は、情報検出回路６で取り出された映像データと音声データの復調を行う。また、デコーダ７は、データのエラーを検出し、エラーが検出された場合において訂正可能であればデータの訂正処理を行う。デコーダ７は、映像データと音声データとについて、同期を取りながらそれぞれ出力する。
【００３１】
ＯＳＤ回路８は、制御部２からの指令に基づいて記憶部１３に記憶されているＯＳＤ表示用のデータを用いてＯＳＤ表示画像を生成する。ＯＳＤ回路８は、制御部２からＯＳＤ表示画像を生成するように指令が出ていない場合には、デコーダ７から伝送される映像データをスルーして、そのまま出力する。また、制御部２からＯＳＤ表示画像を生成するように指令が出ている場合であって、映像を再生している場合には、デコーダ７から伝送される映像データに基づく映像にＯＳＤ表示画像を重ね合わせた合成映像を生成して、その合成映像データを出力する。また、制御部２からＯＳＤ表示画像を生成するように指令が出ている場合であって、映像を再生していない場合には、ＯＳＤ表示画像だけのＯＳＤ表示画像データを出力する。
【００３２】
なお、本実施形態においては、ＯＳＤ回路８は、ＯＳＤ表示画像を生成する際に、制御部２からの指令に応じてＯＳＤ表示画像の明るさを適宜調整できるように設けられている。この点の詳細については後述する。
【００３３】
また、本実施形態においては、例えば、映像のタイトル、チャプタ番号、光ディスクの再生位置を示すカウンタ、映像再生装置の動作状態を示すマーク（再生、早送り、巻き戻し、一時停止などのマーク）等がＯＳＤ画像データに該当する。
【００３４】
また、デコーダ７から出力される音声データ、及びＯＳＤ回路から出力されるデータは、ディスプレイ９がデジタル対応でない場合には、Ｄ／Ａコンバータを設け、これによりアナログ信号に変換してから出力するようにすれば良い。
【００３５】
操作部１０は、ユーザが映像再生装置１に対して各種の命令（コマンド）を映像再生装置１に対して入力するためのものであり、図２に示すように、例えば再生ボタン、停止ボタン、早送りボタン、巻き戻しボタン等の複数のボタンが設けられている。各種ボタンが押されることによってユーザが入力したコマンドは制御部２に送られる。
【００３６】
リモコン受信部１１は、ユーザが映像再生装置１に直接触れることなく遠隔操作するためのリモートコントローラ（以下、リモコンと省略して記載する）から送信される操作信号（例えば赤外線などによる信号）を受信する受信部である。リモコン受信部１１は、受信した操作信号を変換してユーザが入力したコマンドを制御部２に伝送する。
【００３７】
表示部１２は、例えば蛍光表示管（ＦＬ管）を備え、現在時刻、光ディスクの再生位置を示すカウンタ、映像再生装置１の動作状態等を表示（ＦＬＤ表示）する。この表示部１２は、制御部２からの指令によって、表示される情報の明るさを適宜調整できるように設けられている。この点の詳細については後述する。
【００３８】
記憶部１３は、例えばＥＥＰＲＯＭ（Electronically Erasable and Programmable Read Only Memory）で構成されており、映像再生装置１の主制御プログラムを記憶している。更に記憶部１３は、ＯＳＤ表示用のデータ、ＯＳＤ表示画像や表示部１２の蛍光表示管の明るさを制御するために必要となる各種データ（後述する）についても記憶している。
【００３９】
照度センサ１４は、映像再生装置１が配置される部屋の明るさを検出する光センサである。照度センサ１４で検出された照度情報は、制御部２に出力される。本実施形態においては、照度センサ１４は、図２に示すように映像再生装置１の前面部分に設けられている。映像再生装置１の前面部分に設けるのは、部屋の照度を検出するにあたって、障害物による影響を最も受け難い場所であることを考慮するものである。
【００４０】
また、照度センサ１４は、図２に示すように表示部１２から離れた位置（光ディスク２０挿入部１５の下）に配置されている。これは、表示部１２からの光が照度センサ１４に漏れ込んで、照度センサ１４による照度測定が、目的に適った測定でなくなることを防止するものである。
【００４１】
なお、本実施形態においては、照度センサ１４は映像再生装置１の本体に取り付けられる構成となっているが、これに限定される趣旨ではない。すなわち、照度センサ１４を部屋の明るさを適切に測定できるように、装置本体から離れた位置に配置できる構成としても構わない。この場合、照度センサ１４によって測定された照度情報は、ケーブルや無線等によって制御部２に伝送すればよい。
【００４２】
本実施形態の映像再生装置１の構成は以上のようであるが、映像再生装置１は、上述のようにＯＳＤ表示される情報及び表示部１２で表示される情報の明るさを、再生時に自動で調整できるようになっている。以下これについて、図３及び図４を参照しながら説明する。図３は、本実施形態の映像再生装置１においてＯＳＤ表示される情報の明るさを自動調整する手順を示すフローチャートである。図４は、本実施形態の映像再生装置１において表示部１２で表示される情報の明るさを自動調整する手順を示すフローチャートである。
【００４３】
まず、ＯＳＤ表示される情報の明るさ（以下、単にＯＳＤ表示の明るさと表現する場合がある）を調整する手順について説明する。本実施形態においては、ＯＳＤ表示の明るさは、３段階の明るさのいずれかの明るさとされる。このうち、中間の明るさを基準明るさとして以下説明する。ＯＳＤ表示は、ユーザの選択でオンとオフが可能になっている。このために、ユーザからＯＳＤ表示をオンするように指令が出された場合にのみ、ＯＳＤ表示の明るさの自動調整が行われるようになっている（ステップＳ１）。
【００４４】
次に、映像の再生中であるか否かが確認される（ステップＳ２）。本実施形態では、本発明の目的を考慮して、再生時にのみ、ＯＳＤ表示の明るさについて自動調整する構成とし、その他の場合は、常に基準明るさでＯＳＤ表示を行う構成となっている。ただし、非再生時においても、例えば部屋の明るさによってＯＳＤ表示の明るさを調整した方が、ＯＳＤ表示が見易くなるような状況も考えられる。このために、再生時に加えて非再生時においても、ＯＳＤ表示の明るさを自動調整する構成としても構わない。
【００４５】
なお、ここで言う再生中には、例えば、映像がディスプレイ９（図１参照）に表示された状態で、映像が早送りや巻き戻しされている状態や映像が一時停止されているような状態も含まれる。
【００４６】
映像が再生中でない場合には、ＯＳＤ表示の明るさは、基準明るさのままとされて、ＯＳＤ表示の明るさの調整は終了するが、映像が再生中である場合には、照度センサ１４によって測定される照度値が第１の照度値以下である（測定値が第１の照度値と同じかそれより暗い）か否かが確認される（ステップＳ３）。第１の照度値は、部屋が暗いためにＯＳＤ表示が基準明るさのままでは映像の鑑賞の妨げとなると判断されるか否かの境目の明るさの照度値とほぼ同一の値である。なお、第１の照度値は予め実験によって求めた値であり、記憶部１３に記憶されている。
【００４７】
照度センサ１４によって測定された照度値が第１の照度値以下である場合は、ＯＳＤ表示の明るさを基準明るさよりも暗くする（ステップＳ４）。この際に、どの程度暗くするかは予め実験を行うことによって決められており、記憶部１３に予め記憶されている設定となるようにＯＳＤ表示の明るさが変更される。
【００４８】
なお、ＯＳＤ表示の明るさの変更は、例えば、ＯＳＤ表示における文字や図形情報の輝度を変化させたり、文字や図形等の後ろに配置される背景の透過率や背景色を変更したりすることによって行われる。そして、このような変更は、制御部２からの指令の下、ＯＳＤ回路８で行われる。
【００４９】
照度センサ１４によって測定される照度値が第１の照度値より大きい場合には、次に、照度センサ１４によって測定される照度値が第２の照度値以上である（測定値が第２の照度値と同じかそれより明るい）か否かが確認される（ステップＳ５）。第２の照度値は、部屋が明るいためにＯＳＤ表示が基準明るさのままではＯＳＤ表示が見え難いと判断されるか否かの境目となる明るさの照度値とほぼ同一の値である。なお、第２の照度値は予め実験によって求めた値であり、記憶部１３に記憶されている。
【００５０】
照度センサ１４によって測定された照度値が第２の照度値以上である場合は、ＯＳＤ表示の明るさを基準明るさよりも明るくする（ステップＳ６）。この際に、どの程度明るくするかは予め実験を行うことによって決められており、記憶部１３に予め記憶されている設定となるようにＯＳＤ表示の明るさが変更される。なお、この場合においても、当然ながらＯＳＤ表示が再生される映像の鑑賞の妨げとならないようにする必要がある。
【００５１】
また、照度センサ１４によって測定された照度値が第２の照度値より小さい場合には、ＯＳＤ表示の明るさは、基準明るさのままとされる。ＯＳＤ表示の明るさが決定されると、照度センサ１４によって測定される測定値が、先にＯＳＤ表示の明るさを決定した時の照度値のまま維持されているか否かが確認される（ステップＳ７）。なお、照度値が維持されているか否かの判断は、所定の期間ごとに照度センサ１４によって測定される照度値と、先にＯＳＤ表示の明るさを決定した時の照度値と、を比較し、その差分値が所定の値よりも大きくなったか否かで判断される。
【００５２】
先にＯＳＤ表示の明るさを決定した時の照度値が維持されていない（上記の差分値が所定の値よりも大きくなった場合が該当）と判断されると、ステップ３に戻って再度ＯＳＤ表示の明るさの自動調整が行われる。一方、先にＯＳＤ表示の明るさを決定した時の照度値が維持されている（上記の差分値が所定の値以下の場合が該当）と判断されると、ＯＳＤ表示オフの指令、又は再生終了の指令が出されているか否かが確認される（ステップＳ８）。
【００５３】
ＯＳＤ表示オフの指令、又は再生終了の指令が出されている場合には、ＯＳＤ表示の明るさの設定が基準明るさとなるように設定が行われ（ステップＳ９）、ＯＳＤ表示の明るさの自動調整が終了する。一方、ＯＳＤ表示オフの指令及び再生終了の指令のいずれも出されていない合には、ステップＳ７に戻り、上述の動作が繰り返される。
【００５４】
次に、表示部１２に表示される情報の明るさ（以下、単にＦＬＤ表示の明るさと表現する場合がある）を調整する手順について説明する。本実施形態においては、ＦＬＤ表示の明るさについても、３段階の明るさのいずれかの明るさとされる。このうち、中間の明るさを基準明るさとして以下説明する。ＦＬＤ表示の明るさの自動調整は、光ディスク２０に記録される情報の再生時においてのみ行われる。従って、まず映像の再生が開始されたか否かが確認される（ステップＳ１１）。
【００５５】
本実施形態では、本発明の目的を考慮して、再生時にのみ、ＦＬＤ表示の明るさの調整を行う構成とし、その他の場合は、常に基準明るさでＦＬＤ表示を行う構成となっている。ただし、非再生時においても、例えば部屋の明るさによってＦＬＤ表示の明るさを調整した方が、ＦＬＤ表示が見易くなるような状況も考えられる。このために、再生時に加えて非再生時においても、ＦＬＤ表示の明るさを自動調整する構成としても構わない。
【００５６】
映像再生装置１において再生が開始されると、照度センサ１４によって測定される照度値が第３の照度値以下であるか否かが判断される（ステップＳ１２）。第３の照度値は、部屋が暗いためにＦＬＤ表示が基準明るさのままでは映像の鑑賞の妨げになると判断されるか否かの境目の明るさの照度値とほぼ同一の値である。なお、第３の照度値は予め実験によって求めた値であり、記憶部１３に記憶されている。また、第３の照度値は、上述の第１の照度値と同じとなることもあるが、別となることもある。
【００５７】
照度センサ１４によって測定された照度値が第３の照度値以下である場合は、ＦＬＤ表示の明るさを基準明るさよりも暗くする（ステップＳ１３）。この際に、どの程度暗くするかは予め実験を行うことによって決められており、記憶部１３に予め記憶されている設定となるようにＦＬＤ表示の明るさが変更される。ＦＬＤ表示の明るさは、制御部２からの指令の下、蛍光表示管に印加する電圧を調整することによって行われる。
【００５８】
照度センサ１４によって測定される照度値が第３の照度値より大きい場合には、次に第４の照度値以上であるか否かが確認される（ステップＳ１４）。第４の照度値は、部屋が明るいためにＦＬＤ表示が基準明るさのままではＦＬＤ表示が見え難いと判断されるか否かの境目となる明るさの照度値とほぼ同一の値である。なお、第４の照度値は予め実験によって求めた値であり、記憶部１３に記憶されている。また、第４の照度値は、上述の第２の照度値と同じとなることもあるが、別となることもある。
【００５９】
照度センサ１４によって測定された照度値が第４の照度値以上である場合は、ＦＬＤ表示の明るさを基準明るさよりも明るくする（ステップＳ１５）。この際に、どの程度明るくするかは予め実験を行うことによって決められており、記憶部１３に予め記憶されている設定となるようにＦＬＤ表示の明るさが変更される。なお、この場合においても、当然ながらＦＬＤ表示が再生される映像の鑑賞の妨げとならないようにする必要がある。
【００６０】
また、照度センサ１４によって測定された照度値が第４の照度値より小さい場合には、ＦＬＤ表示の明るさは、基準明るさのままとされる。ＦＬＤ表示の明るさが決定されると、照度センサ１４によって測定される測定値が、先にＦＬＤ表示の明るさを決定した時の照度値のまま維持されているか否かが確認される（ステップＳ１６）。なお、照度値が維持されているか否かの判断は、前述のＯＳＤ表示の場合と同様である。
【００６１】
先にＦＬＤ表示の明るさを決定した時の照度値が維持されていないと判断されると、ステップ１２に戻って再度ＦＬＤ表示の明るさの自動調整が行われる。一方、先にＦＬＤ表示の明るさを決定した時の照度値が維持されていると判断されると、再生終了の指令が出されているか否かが確認される（ステップＳ１７）。
【００６２】
再生終了の指令が出されている場合には、ＦＬＤ表示の明るさの設定が基準明るさとなるように設定が行われ（ステップＳ１８）、ＦＬＤ表示の明るさの自動調整が終了する。一方、再生終了の指令が出されていない合には、ステップＳ１６に戻り、上述の動作が繰り返される。
【００６３】
以上のように、本実施形態の映像再生装置１では、再生時において、照度センサ１４によって部屋の明るさを検出し、それに応じてＯＳＤ表示やＦＬＤ表示の明るさを変更する構成としている。このために、再生時において、部屋の明るさによらずＯＳＤ表示及びＦＬＤ表示を視認でき、且つこれらの表示を映像の鑑賞の妨げとなり難いように表示できる。
【００６４】
なお、本発明は以上に示した実施形態に限定される趣旨ではなく、本発明の目的を逸脱しない範囲で種々の変更が可能である。
【００６５】
本実施形態においては、ＯＳＤ表示及びＦＬＤ表示の明るさは、自動調整によって、３段階の明るさのいずれかに調整される構成とした。しかし、これに限定されず、自動調整によって調整される明るさの段階は、２段階や４段階以上であっても構わない。
【００６６】
また、再生時に操作部１０やリモコンからの指令によって、例えば早送りや巻き戻し等を行う場合に、ＦＬＤ表示の明るさが暗いままでは、表示部１２に表示されるカウンタ表示等の情報が見え難く、操作をし難いと感じるユーザもいると考えられる。そこで、このような問題を解消するために、本実施形態のＦＬＤ表示の明るさの自動調整の手順を図５のような構成としても良い。図５は、図４に示した表示部１２で表示される情報の明るさ（ＦＬＤ表示の明るさ）を自動調整する手順の変形例を示すフローチャートである。
【００６７】
図５において、ステップＳ１１１〜ステップＳ１１６までは、図４のステップＳ１１〜ステップＳ１６と同じであるため、この点の説明は省略する。図５の場合には、先にＦＬＤ表示の明るさを決定した時の照度値が維持されていることを確認した後に、操作部１０又はリモコンからコマンドが入力されていないことが確認される（ステップＳ１１７）。ここで、操作部１０又はリモコンからコマンドが入力されている場合には、ＦＬＤ表示が基準明るさよりも暗い設定とされているか否かが確認される（ステップＳ１１８）。
【００６８】
ＦＬＤ表示が基準明るさより暗い設定となっている場合には、所定時間だけＦＬＤ表示が基準明るさとされる（ステップＳ１１９）。なお、所定時間が経過すると、基準明るさより暗い設定（すなわち、元の明るさ）に戻される。一方、ＦＬＤ表示が基準明るさより暗い設定となっていない場合には、ＦＬＤ表示の明るさの設定は変更されない。
【００６９】
操作部１０又はリモコンからコマンドが入力されていない場合及び、操作部１０又はリモコンからコマンドが入力されていて上述のステップ（ステップＳ１１８、Ｓ１１９）を経た後には、再生終了の指令が出されているか否かが確認される（ステップＳ１２０）。再生終了の指令が出されている場合には、ＦＬＤ表示の明るさの設定が基準明るさとなるように設定が行われ（ステップＳ１２１）、ＦＬＤ表示の明るさの自動調整が終了する。一方、再生終了の指令が出されていない合には、ステップＳ１１６に戻って、上述の動作が繰り返される。
【００７０】
また、本実施形態においては、映像再生装置は、照度センサ１４から得られる情報に基づいて、ＯＳＤ表示及びＦＬＤ表示の明るさのみを調整する構成となっているが、これに限定されない。すなわち、光ディスク２０から読み出される映像についても、照度センサ１４からの情報に基づいて、その明るさを自動調整する構成としても構わない。この場合、デコーダ７から出力される映像データの輝度値に所定の変更を加えるようにすれば良い。
【００７１】
また、本実施形態においては、映像再生装置は、照度センサ１４から得られる情報に基づいて、ＯＳＤ表示及びＦＬＤ表示の明るさを調整する構成となっているが、場合によってはいずれか一方でも構わない。
【００７２】
また、本実施形態においては、再生時においては必ず、ＯＳＤ表示及びＦＬＤ表示の自動調整を行う構成となっているが、再生時におけるＯＳＤ表示及びＦＬＤ表示の自動調整を行うか否かをユーザが選択できるようにしても構わない。
【００７３】
その他、本実施形態においては、映像再生装置が光ディスクを再生する装置である場合を例に説明したが、ビデオを再生するビデオデッキ等の場合でも本発明が適用できるのは言うまでもない。
【産業上の利用可能性】
【００７４】
本発明の映像再生装置は、再生時において、部屋の明るさによらずＯＳＤ表示等の再生情報の表示を視認可能に表示でき、且つこれらの表示を映像の鑑賞の妨げとなり難いように表示できる。このために、映像再生装置として使い勝手が良く、有用である。
【図面の簡単な説明】
【００７５】
【図１】は、本実施形態の映像再生装置の構成を示すブロック図である。
【図２】は、本実施形態の映像再生装置の前面部分の構成を示す概略平面図である。
【図３】は、本実施形態の映像再生装置においてＯＳＤ表示される情報の明るさを自動調整する手順を示すフローチャートである。
【図４】は、本実施形態の映像再生装置において表示部で表示される情報の明るさを自動調整する手順を示すフローチャートである。
【図５】は、図４に示した表示部で表示される情報の明るさを自動調整する手順の変形例を示すフローチャートである。
【符号の説明】
【００７６】
１          映像再生装置
２          制御部
８          ＯＳＤ回路（ＯＳＤ表示手段）
１０        操作部
１１        リモコン受信部
１２        表示部
１４        照度センサ（光センサ）
【図１】
2009026413.tif 000003
【図２】
2009026413.tif 000004
【図３】
2009026413.tif 000005
【図４】
2009026413.tif 000006
【図５】
2009026413.tif 000007